(57)【要約】  本発明は、ディスプレイを有する遠隔制御デバイスを使用するメディアファイルの探索、アクセス、維持、または編集を提供する。本発明によれば、ユーザは、表示されたメディアファイル及びサーバ上に格納された他の型の情報を処理することができる。サーバは、テレビジョン受像機のようなディスプレイデバイスと、これもディスプレイを有する遠隔制御デバイスとに結合することができる。ユーザは、遠隔制御デバイスを介して、遠隔制御で上に表示されたボタンを使用してメディアファイルを処理することができる。遠隔制御デバイスのボタンは、メディアファイルに対して遂行させる実行コマンドに関連付けることができる。メディアファイルを変更するユーザの能力を改善するために、変更されたメディアファイルはテレビジョン受像機及び遠隔制御デバイスの両方に表示させることができる。【選択図】図１
2008507165.tif 000002
【特許請求の範囲】
【請求項１】
メディアファイルを処理し、該メディアファイルと対話するためのシステムであって、
第１のディスプレイを有する少なくとも１つのディスプレイデバイスと、
第２のディスプレイを含む少なくとも１つの遠隔制御デバイスと、
コンピュータ実行命令を有するコンピュータ可読媒体と、
を含み、
前記実行命令は、前記第１のディスプレイ上に第１のユーザインタフェースを表示し、前記第２のディスプレイ上に第２のユーザインタフェースを表示するステップを遂行させ、
前記第２のユーザインタフェースは前記遠隔制御デバイス上に表示され、前記第２のユーザインタフェースは前記少なくとも１つのディスプレイデバイス上に表示される前記第１のユーザインタフェースに少なくとも部分的に関係付けられ、前記第２のインタフェースは実行コマンドを受信することが可能であり、
前記実行命令は更に、前記遠隔制御デバイスの前記第２のユーザインタフェースから実行コマンドを受信して前記メディアファイルを処理するステップを遂行させる、
ことを特徴とするシステム。
【請求項２】
前記処理されたメディアファイルを、前記第１のディスプレイ上に表示するステップを更に含むことを特徴とする請求項１に記載のシステム。
【請求項３】
前記第２のユーザインタフェースは、前記少なくとも１つのディスプレイデバイス上に表示される前記第１のユーザインタフェースの実行コマンドの少なくとも一部を含むことを特徴とする請求項１に記載のシステム。
【請求項４】
前記第１のユーザインタフェース及び前記第２のユーザインタフェースは類似していることを特徴とする請求項１に記載のシステム。
【請求項５】
前記第１のユーザインタフェースは、前記第２のユーザインタフェースが前記遠隔制御デバイスへ伝送済みであることの指示を表示することを特徴とする請求項１に記載のシステム。
【請求項６】
前記遠隔制御デバイスの前記第２のディスプレイ上に表示される前記第２のユーザインタフェースは、対話ボックスを含むことを特徴とする請求項１に記載のシステム。
【請求項７】
ユーザは、実行命令として少なくとも１つの文字を、前記遠隔制御デバイスの前記第２のユーザインタフェース上に表示された対話ボックス内に入力することを特徴とする請求項６に記載のシステム。
【請求項８】
前記ユーザによって入力された少なくとも１つの文字は、前記第１のディスプレイ及び前記遠隔制御デバイスの前記第２のディスプレイ上に実質的に同時に表示されることを特徴とする請求項７に記載のシステム。
【請求項９】
前記遠隔制御デバイスの前記第２のディスプレイ上に表示される前記第２のユーザインタフェースは、実行コマンドを伴うメニューを含むことを特徴とする請求項１に記載のシステム。
【請求項１０】
前記第２のユーザインタフェース上の実行コマンドは、前記遠隔制御デバイスのキーボタンに関連付けられていることを特徴とする請求項９に記載のシステム。
【請求項１１】
前記遠隔制御デバイス上に表示される前記第２のユーザインタフェースは、実行コマンドに関連付けられたボタンを含むことを特徴とする請求項１に記載のシステム。
【請求項１２】
前記遠隔制御デバイスは、モバイル通信デバイスを含むことを特徴とする請求項１に記載のシステム。
【請求項１３】
前記モバイル通信システムは、セルラ電話機を含むことを特徴とする請求項１２に記載のシステム。
【請求項１４】
前記メディアファイルは、画像を含むことを特徴とする請求項１に記載のシステム。
【請求項１５】
前記メディアファイルは、テキストファイルまたはメッセージを含むことを特徴とする請求項１に記載のシステム。
【請求項１６】
前記メディアファイルは、ビデオファイルを含むことを特徴とする請求項１に記載のシステム。
【請求項１７】
前記処理されたメディアファイルは、前記第１のディスプレイ及び前記第２のディスプレイの両方に実質的に同時に表示されることを特徴とする請求項１に記載のシステム。
【請求項１８】
メディアファイルと対話するためのシステムであって、
（ａ）第１のディスプレイを有する少なくとも１つのディスプレイデバイスと、
（ｂ）（１）デジタルカメラ、
（２）前記デジタルカメラを使用して作成されたメディアファイルを格納するメモリ、
（３）第２のディスプレイ、及び
（４）前記メモリ内に格納されている前記メディアファイルを伝送するための、無線通信ネットワークとの第１の通信インタフェース、
を含む遠隔制御デバイスと、
（ｃ）（１）前記無線通信ネットワークを介して前記メディアファイルを前記遠隔制御デバイスから受信するための第２の通信インタフェース、
（２）前記通信インタフェースを通して受信した前記メディアファイルを格納するサーバメモリ、及び
（３）ユーザインタフェースを前記少なくとも１つのディスプレイデバイス及び前記遠隔制御デバイスに伝送するステップを遂行するように構成されているプロセッサ、
を含むサーバと、
を含み、
前記ユーザインタフェースは前記第１のディスプレイ及び前記第２のディスプレイ上に表示され、前記遠隔制御デバイス上に表示される前記ユーザインタフェースは実行コマンドを受信可能であり、前記実行コマンドは前記メディアファイルを処理するためのものであり、
前記プロセッサは更に、前記第２の通信インタフェースを通して前記遠隔制御デバイスから実行コマンドを受信して前記メディアファイルを処理するステップ、及び前記処理されたメディアファイルを前記第１のディスプレイ及び前記第２のディスプレイの両方へ伝送するステップを遂行するように構成されている、
ことを特徴とするシステム。
【請求項１９】
前記処理されたメディアファイルは、前記第１のディスプレイ及び前記第２のディスプレイの両方に実質的に同時に表示されることを特徴とする請求項１８に記載のシステム。
【請求項２０】
前記プロセッサは、前記ユーザインタフェース及び前記処理されたメディアファイルを、短距離無線通信ネットワークを通して伝送することを特徴とする請求項１８に記載のシステム。
【請求項２１】
前記短距離通信ネットワークは、ＢＬＵＥＴＯＯＴＨを含むことを特徴とする請求項２０に記載のシステム。
【請求項２２】
前記遠隔制御デバイスの前記第２のディスプレイ上に表示される前記ユーザインタフェースは、対話ボックスを含むことを特徴とする請求項１８に記載のシステム。
【請求項２３】
ユーザは、少なくとも１つの文字を、前記遠隔制御デバイスの前記ユーザインタフェース上に表示された対話ボックス内に入力することを特徴とする請求項２２に記載のシステム。
【請求項２４】
前記ユーザによって入力される少なくとも１つの文字は、前記第１のディスプレイ及び前記遠隔制御デバイスの前記第２のディスプレイ上に実質的に同時に表示されることを特徴とする請求項２３に記載のシステム。
【請求項２５】
前記遠隔制御デバイスは、モバイル通信デバイスを含むことを特徴とする請求項１８に記載のシステム。
【請求項２６】
前記モバイル通信デバイスは、セルラ電話機を含むことを特徴とする請求項２５に記載のシステム。
【請求項２７】
前記サーバは、セットトップボックスを含むことを特徴とする請求項１８に記載のシステム。
【請求項２８】
前記少なくとも１つのディスプレイデバイスは、テレビジョン受像機を含むことを特徴とする請求項１８に記載のシステム。
【請求項２９】
前記遠隔制御デバイスは、モバイル通信デバイスを含むことを特徴とする請求項１８に記載のシステム。
【請求項３０】
前記モバイル通信デバイスは、セルラ電話機を含むことを特徴とする請求項２９に記載のシステム。
【請求項３１】
メディアファイルと対話するためのサーバであって、
メモリと、
遠隔制御デバイス上に格納されているメディアファイルを前記メモリへ転送可能にする通信インタフェースと、
第１のユーザインタフェースを第１のディスプレイデバイスの第１のディスプレイへ伝送するステップ、及び第２のユーザインタフェースを第２のディスプレイデバイスの第１のディスプレイへ伝送するステップを遂行するように構成されているプロセッサと、
を含み
前記第２のユーザインタフェースは前記遠隔制御デバイスの第２のディスプレイ上に表示され、前記第２のユーザインタフェースは実行コマンドを受信可能であり、
前記プロセッサは更に、前記通信インタフェースを通して前記遠隔制御デバイスの前記第２のユーザインタフェースから実行コマンドを受信して前記メディアファイルを処理するステップ、及び前記処理されたメディアファイルを前記ディスプレイデバイスの前記第１のディスプレイの前記第１のユーザインタフェース及び前記遠隔制御デバイスの前記第２のディスプレイの前記第２のユーザインタフェースの両方へ伝送するステップを遂行するように構成されている、
ことを特徴とするサーバ。
【請求項３２】
前記遠隔制御デバイスの前記第２のディスプレイ上に表示される前記ユーザインタフェースは、対話ボックスを含むことを特徴とする請求項３１に記載のサーバ。
【請求項３３】
ユーザは、少なくとも１つの文字を、前記遠隔制御デバイスの前記ユーザインタフェース上に表示された対話ボックス内に入力することを特徴とする請求項３２に記載のサーバ。
【請求項３４】
前記ユーザによって入力される少なくとも１つの文字は、前記ディスプレイデバイスの前記第１のディスプレイ及び前記遠隔制御デバイスの前記第２のディスプレイ上に実質的に同時に表示されることを特徴とする請求項３３に記載のサーバ。
【請求項３５】
前記処理されたメディアファイルは、前記ディスプレイデバイスの前記第１のディスプレイ及び前記遠隔制御デバイスの前記第２のディスプレイ上に実質的に同時に表示されることを特徴とする請求項３１に記載のサーバ。
【請求項３６】
前記遠隔制御デバイスの前記第２のディスプレイ上に表示される前記第２のユーザインタフェースは、実行コマンドを伴うメニューを含むことを特徴とする請求項３１に記載のサーバ。
【請求項３７】
前記第２のユーザインタフェース上の実行コマンドは、前記遠隔制御デバイスのキーボタンに関連付けられていることを特徴とする請求項３６に記載のサーバ。
【請求項３８】
前記遠隔制御デバイス上に表示される前記第２のユーザインタフェースは、実行コマンドに関連付けられたボタンを含むことを特徴とする請求項３１に記載のサーバ。
【請求項３９】
第１及び第２のユーザインタフェースを有するメディアシステムにおいて、メディアファイルを処理する方法であって、
前記第１のユーザインタフェースを第１のディスプレイ上に表示し、前記第２のユーザインタフェースを第２のディスプレイ上に表示するステップ、
を含み、
前記第２のユーザインタフェースは遠隔制御デバイス上に表示され、前記第２のユーザインタフェースは前記遠隔制御デバイス上に表示され、前記第２のユーザインタフェースは前記ディスプレイデバイス上に表示される前記第１のユーザインタフェースに少なくとも部分的に関係付けられ、前記第２のインタフェースは実行コマンドを受信可能であり、
前記方法は更に、
ユーザ選択から実行コマンドを受信して前記メディアファイルを処理するステップと、
前記処理されたコマンドを前記遠隔制御デバイスの前記第２のディスプレイ上に表示するステップと、
を含むことを特徴とする方法。
【請求項４０】
メディアファイルと対話するネットワークサーバであって、
メモリと、
遠隔制御デバイス上に格納されているメディアファイルを前記メモリへ転送可能にする通信インタフェースと、
第１のユーザインタフェースを第１のディスプレイデバイスの第１のディスプレイへ伝送するステップ、及び第２のユーザインタフェースを遠隔制御デバイスの第２のディスプレイへ伝送するステップを遂行するように構成されているプロセッサと、
を含み、
前記第２のユーザインタフェースは前記遠隔制御デバイスの第２のディスプレイ上に表示され、前記第２のユーザインタフェースは実行コマンドを受信可能であり、
前記プロセッサは更に、前記通信インタフェースを通して前記遠隔制御デバイスの前記第２のユーザインタフェースから実行コマンドを受信して前記メディアファイルを処理するステップ、前記処理されたメディアファイルを前記メモリ内に格納するステップ、及び前記処理されたメディアファイルを前記ディスプレイデバイスの前記第１のディスプレイの前記第１のユーザインタフェース及び前記遠隔制御デバイスの前記第２のディスプレイの前記第２のユーザインタフェースへ伝送するステップを遂行するように構成されている、
ことを特徴とするネットワークサーバ。
【請求項４１】
前記遠隔制御デバイスの前記ディスプレイ上に表示される前記ユーザインタフェースは対話ボックスを含むことを特徴とする請求項４０に記載のネットワークサーバ。
【請求項４２】
ユーザは、少なくとも１つの文字を前記遠隔制御デバイスの前記ユーザインタフェース上に表示された対話ボックス内に入力することを特徴とする請求項４１に記載のネットワークサーバ。
【請求項４３】
前記ユーザによって入力される少なくとも１つの文字は、前記ディスプレイデバイスの前記第１のディスプレイ及び前記遠隔制御デバイスの前記第２のディスプレイ上に実質的に同時に表示されることを特徴とする請求項４２に記載のネットワークサーバ。
【請求項４４】
前記処理されたメディアファイルは、前記ディスプレイデバイスの前記第１のディスプレイ及び前記遠隔制御デバイスの前記第２のディスプレイ上に実質的に同時に表示されることを特徴とする請求項４０に記載のネットワークサーバ。
【請求項４５】
前記遠隔制御デバイスの前記第２のディスプレイ上に表示される前記第２のユーザインタフェースは、実行コマンドを伴うメニューを含むことを特徴とする請求項４０に記載のネットワークサーバ。
【請求項４６】
前記第２のユーザインタフェース上の実行コマンドは、前記遠隔制御デバイスのキーボタンに関連付けられていることを特徴とする請求項４５に記載のネットワークサーバ。
【発明の詳細な説明】
【技術分野】
【０００１】
本発明は、一般的には、ディスプレイを有する遠隔制御デバイスを使用してデジタル情報を探索、アクセス、維持、または編集することに関する。より特定的には、本発明の複数の面は、表示されたメディアファイルをユーザがブラウズし、選択し、または編集する便利な方法を提供するために、受信機及び遠隔制御デバイスのような２つまたはそれ以上の間のユーザインタフェースの共用に関する。
【背景技術】
【０００２】
携帯情報端末（ＰＤＡ）、モバイルフォン、デジタルカメラ、デジタルプレーヤー、モバイル端末等のようないろいろなモバイル計算デバイスが存在している（以下、“モバイルデバイス”という）。これらのデバイスは、そのデバイスに特定のさまざまな機能を遂行し、またしばしば（有線または無線接続を介して）他のデバイスと通信することができる。単一のモバイルデバイスは、例えば、インターネットアクセスを行い、個人のカレンダーを維持し、モバイル電話機になり、そしてデジタル写真を撮影することができる。しかしながら、典型的にはモバイルデバイスはメモリ容量が制限されている。デジタル写真を作成する無線電話機及び他のモバイルデバイス、ビデオセグメント、及びオーディオセグメントは、これらのセグメントを格納しなければならない。これらのアイテムを格納するには、典型的には比較的大容量のメモリを必要とする。更に、モバイルデバイスは、後に画像のコレクションを見て楽しむように最適化されていないことが多い。多くのモバイルデバイスの表示画面は小さく、解像力が制限されている。また小さい表示画面は２人以上の人が同時に画像を見ることを困難にしている。
【０００３】
これらの課題に対する１つの解法は、遠隔位置にあるパーソナルコンピュータまたは専用記憶装置のような他のデバイスへファイルを転送することである。ユーザは、例えば、写真のような画像を作成するためにモバイルデバイスを使用し、これらの画像をユーザの家庭または他の場所に位置するサーバまたは他の記憶デバイスに定期的に転送することができる。画像は、テレビジョンセットのような受像機上に表示させることによって見ることができる。これにより、ユーザは、彼等のモバイルデバイスのメモリ制約によって制限されることなく、多数の画像を作成（及び保持）することができる。更に、画像または写真を、より大きく、より高い解像力のディスプレイ上に表示させることができる。
【０００４】
しかしながら、上述した解法は、今度は、ユーザが容易に多数の画像を作成し、それらを格納できるという付加的な課題をもたらす。ユーザは、遙かに多くの画像を処理しなければならず、これは作成した画像を探索、アクセス、または編集するためにユーザが入力しなければならないキーストロークのような入力コマンドの数を増加させることになる。更にユーザは、画像を見るためにテレビジョン画面と、コマンドを入力するために使用されるモバイルデバイスとに絶えず注意を振り分けなければならないが、これは注意力を散乱させ、非効率的でもある。
【０００５】
例えば、ユーザはディスプレイ上の画像を適切に見るために、回転または拡大のような画像処理を必要とすることが多い。これらの画像の処理には、ユーザが画像毎に多くの分離したキーストローク（例えば、各処理済みの画像を保管するための保管コマンドの発行）を遂行する必要がある。更に、これらの各画像を処理するために、ユーザはディスプレイデバイスと遠隔制御デバイスとに絶えず注意を振り分けて各入力コマンドを適切に入力しなければならない。
【発明の開示】
【発明が解決しようとする課題】
【０００６】
これらの、及び他の理由から、ユーザが画像及び他の表示されたメディアファイルをより便利に処理することができるシステム及び方法に対する要望が存在している。
【課題を解決するための手段】
【０００７】
本発明は、表示されたメディアファイル及びサーバ上に格納されている他の型の情報をユーザが処理できるようにすることに関する。サーバは、テレビジョン受像機のようなディスプレイデバイスと、これもディスプレイを有する遠隔制御デバイスとに結合することができる。ユーザは、遠隔制御デバイスを通して、遠隔制御デバイス上に表示されたボタンを使用してメディアファイルを処理することができる。遠隔制御デバイスのボタンにはメディアファイル上で遂行される実行（可能な）コマンドを組合せることができる。実行コマンドをテレビジョン受像機及び遠隔制御デバイスの両方に実質的に同時に表示させることにより、メディアファイルを変更するユーザの能力を改善することができる。
【０００８】
本発明のこれらの、及び他の特色は、以下の好ましい実施の形態の詳細な説明から明らかになるであろう。
【発明を実施するための最良の形態】
【０００９】
「動作環境例」
図１に、本発明のシステム及び方法を有利に使用することができる無線通信システム１１０の例を示す。携帯情報端末（ＰＤＡ）、デジタルカメラ、セルラフォン、モバイル端末、ＰＣモニタ、ＬＣＤプロジェクタ、ヘッドディスプレイ、またはこれらの組合せのような１つ以上のネットワークによって動作可能にされる遠隔制御デバイスまたは入力デバイス１１２が、サーバ１１４と通信する。図１には示してないが、サーバ１１４は、ホームネットワークのようなネットワーク、他のローカルエリアネットワーク（ＬＡＮ）または広域ネットワーク（ＷＡＮ）のためのパーソナルサーバまたはパーソナル記憶デバイスのようなファイルサーバとして動作することができる。
【００１０】
サーバ１１４は、コンピュータ、ラップトップ、セットトップボックス、ＤＶＤ、テレビジョン、ＰＶＲ、ＤＶＲ、ＴｉＶｏデバイス、パーソナルポータブルサーバ、パーソナルポータブルメディアプレーヤー、ネットワークサーバ、またはデータを格納し、アクセスすることができる他のデバイスであることができる。モバイルデバイス１１２は、種々の手法でサーバ１１４と通信することができる。例えば、遠隔制御デバイス１１２は、無線ネットワーク１１８を介してサーバ１１４と通信することができる。無線ネットワーク１１８は、第３世代（３Ｇ）セルラデータ通信ネットワーク、モバイル通信ネットワーク用グローバルシステム（ＧＳＭ）、または他の無線通信ネットワークであることができる。遠隔制御デバイス１１２は更に、例えばユニバーサルシリアルバス（ＵＳＢ）ケーブル１１５を介して、サーバ１１４への有線接続を可能にする１つまたはそれ以上のポートを有することができる。遠隔制御デバイス１１２は更に、サーバ１１４への短距離接続１２０（例えば、ＢＬＵＥＴＯＯＴＨ、ＷＬＡＮ、ワイファイ（ＷｉＦｉ）、またはＩｒＤＡリンク）も可能である。単一の遠隔制御デバイス１１２は、多くの手法でサーバ１１４と通信することが可能である。
【００１１】
サーバ１１４は、遠隔制御デバイス１１２から、及び他の資源から受信したファイルを格納するためのレポジトリとして動作することができる。サーバ１１４は、モバイルネットワーク１１８またはＷＬＡＮネットワークとの通信（例えば、メッセージ、ファイル、または他のデータ）を送受するように構成されている無線インタフェース１２２を有することも、またはそれに結合することもできる。代替として（または、付加的に）、サーバ１１４は、１つまたはそれ以上の他の通信ネットワーク接続を有することができる。例えばサーバ１１４は、インターネットに、普通の有線電話システムに、または他の通信または放送ネットワーク（例えば、ＴＶ、ラジオ、またはＩＰデータ放送ネットワーク）に（直接、または１つ以上の中間ネットワークを介して）リンクすることができる。
【００１２】
一実施の形態においては、遠隔制御デバイス１１２は、無線ネットワーク１１８内のデジタル無線通信を送信及び／または受信するように構成されている無線インタフェースを有している。無線ネットワーク１１８の一部としての１つ以上の基地局（図示してない）は、遠隔制御デバイス１１２が無線ネットワーク１１８の管理ドメイン内に位置しているときに、遠隔制御デバイス１１２とのデジタル通信を支援することができる。遠隔制御デバイス１１２と通信する無線ネットワーク１１８の基地局は、サーバ１１４と同一の、または異なる基地局であることができる。実際に、遠隔制御デバイス１１２及びサーバ１１４は、各々が異なる無線ネットワークと通信することができ（例えば、遠隔制御デバイス１１２はローミングすることができる）、これらの無線ネットワーク自体は１つ以上の中間の有線または無線ネットワークを介して相互接続することができる。明瞭化のために、サーバ１１４及び遠隔制御デバイス１１２は、同一無線ネットワーク１１８内にあるように図示してある。
【００１３】
遠隔制御デバイス１１２は、無線ネットワーク１１８を介してサーバ１１４と通信し、サーバ１１４上に遠隔格納するユーザデータ（例えば、電子画像、オーディオクリップ、ビデオクリップ）を伝送するように構成されている。遠隔制御デバイス１１２は更に、サーバ１１４上に先に格納させたデータにアクセスするように構成されている。一実施の形態においては、遠隔制御デバイス１１２とサーバ１１４との間のファイル転送は、ショートメッセージサービスセンター（ＳＭＳＣ）１２４及び／またはマルチメディアメッセージングサービスセンター（ＭＭＳＣ）１２６を介して伝送されるショートメッセージサービス（ＳＭＳ）メッセージ及び／またはマルチメディアメッセージングサービス（ＭＭＳ）メッセージによって行うことができる。ＳＭＳＣ１２４及びＭＭＳＣ１２６はネットワーク１１８の一部として図示されているが、別のネットワークの一部であることも、またはそれ以外にネットワーク１１８の外部にあることもできる。また、ＳＭＳＣ１２４及びＭＭＳＣ１２６は分離した論理エンティティとして図示されているが、単一のエンティティであることができる。更にＳＭＳＣ１２４及びＭＭＳＣ１２６は、ファイル転送プロセスを改善するために、それらの間で交換されるシグナリングを介して調整することができる。例えば、ＳＭＳＣ１２４及びＭＭＳＣ１２６はリアルタイムシステムではなく蓄積交換システムであることができるので、遠隔制御デバイス１１２からＳＭＳメッセージを介して要求されたファイルは、先行要求に基づいて未だにＭＭＳＣ１２６上に存在していることがあり得る。従って、ＳＭＳＣ１２４は、ＳＭＳファイル要求があった時にＭＭＳＣ１２６をコピーすることができ、またもし適用可能であれば、ＭＭＳＣ１２６は先に格納されたファイルをユーザに通知することができる。更に、ＭＭＳＣ１２６は、その格納されたファイルのコピーに基づいて、要求されたファイルを単に転送することができる。他の実施の形態においては、ＭＭＳＣ１２６はファイルのためのレポジトリとして動作することができ、遠隔制御デバイス１１２は単にＭＭＳＣ１２６からファイルの転送を要求することができる。
【００１４】
図２に示すように、遠隔制御デバイス１１２は、ユーザインタフェース１３０に接続されているプロセッサ１２８、無線通信インタフェース１３２、メモリ１３４及び／または他の記憶装置、ディスプレイ１３６、及びデジタルカメラ１３８を含むことができる。ユーザインタフェース１３０は更に、キーパッド、４つの矢印キー、ジョイスティック、データグラブ、マウス、ローラボール、タッチスクリーン、音声インタフェース等々を含むことができる。遠隔制御デバイス１１２を動作可能にして種々の機能を遂行させる命令をプロセッサ１２８に供給するために、ソフトウェア１４０をメモリ１３４及び／または他の記憶装置内に格納することができる。例えば、ソフトウェア１４０は、遠隔制御デバイス１１２のデジタルカメラ１３８を使ってデジタル写真を撮影し、その写真に自動的に命名し、その写真を画像ファイルとして保管し、その画像ファイルをサーバ１１４へ転送し、その画像ファイルをサーバ１１４から検索して表示し、そして通信インタフェース１３２を使用してインターネットをブラウズすることができるようにプロセッサ１２８を構成することができる。図示してないが、通信インタフェース１３２は、異なる通信リンクを通して通信するように構成された付加的な有線（例えば、ＵＳＢ）及び／または無線（例えば、ＢＬＵＥＴＯＯＴＨ、ＷＬＡＮ、ワイファイ、またはＩｒＤＡ）インタフェースを含むことができる。
【００１５】
図３に示すように、サーバ１１４はプロセッサ１４２を含むことができ、プロセッサ１４２はバス１４４を介して１つまたはそれ以上の通信インタフェース１４６、１４８、１５０、及び１５２に結合されている。多くの異なる無線ネットワーク通信インタフェースが存在することができる。インタフェース１４８は、普通の有線電話システムインタフェースであることができる。インタフェース１５０は、ケーブルモデムであることができる。インタフェース１５２は、ＢＬＵＥＴＯＯＴＨインタフェースまたは他の何等かの短距離無線接続インタフェースであることができる。更に、複数の異なるインタフェースが存在することができる。図３には、受信機デバイス１６０、１６２、及び１６４のような受信機デバイスも示されている。受信機デバイス１６２は、デジタルビデオ放送（ＤＶＢ）標準に基づく伝送を受信してデコードするように構成されているテレビジョン受像機を含むことができる。受信機１６２は、ＦＭラジオ伝送を受信してデコードするＦＭラジオ受信機のようなラジオ受信機を含むことができる。受信機１６４は、ＩＰデータ放送受信機を含むことができる。
【００１６】
サーバ１１４は、更に、揮発性メモリ１５４（例えば、ＲＡＭ）及び／または不揮発性メモリ１５６（例えば、ハードディスクドライブ、テープシステム等）を含むことができる。ソフトウェア及びアプリケーションをメモリ１５４及び／またはメモリ１５６内に格納し、サーバ１１４を動作可能にする命令をプロセッサ１４２に供給してファイル転送要求（画像ファイルの場合のような）、メモリ１５４またはメモリ１５６内へのファイルの格納、画像及び他のデータの表示、及び画像及び他のデータの編成のような種々の機能を遂行させる。他のデータは、限定するものではないが、ビデオファイル、オーディオファイル、ｅメール、ＳＭＳ／ＭＭＳメッセージ、他のメッセージファイル、テキストファイル、またはプレゼンテーションを含むことができる。メモリ１５６はサーバ１１４の一部として示されているが、サーバ１１４と通信する外部ドライブまたは別の記憶装置のようなサーバ１１４に結合された遠隔記憶装置であることができる。好ましくは、サーバ１１４は、ディスプレイデバイス１５８（図１、スピーカを有することができる）を更に含むか、またはビデオインタフェース（図示してない）を介してディスプレイデバイス１５８に結合する。ディスプレイ１５８は、コンピュータモニタ、テレビジョンセット、ＬＣＤプロジェクタ、または他の型のディスプレイデバイスであることができる。少なくとも若干の実施の形態においては、サーバ１１４は、メモリ１５４または１５６内に格納されているオーディオクリップ（または、ビデオクリップのオーディオ部分）を演奏することができるスピーカ１５５を更に含む。他の若干の実施の形態においては、入力デバイス１１２とディスプレイ１５８とを、または代替として、入力デバイス１１２と、ディスプレイデバイス１５８と、サーバ１１４とを同一デバイスユニット内に統合することができる。
【００１７】
ユーザは、入力デバイス１１２のようなローカル入力デバイスを通してサーバ１１４に直接アクセスする。サーバ１１４は、サムネイル、拡大画像、及び他の情報に加えて、例えば後述するような種々のユーザインタフェースもディスプレイデバイス１５８上に表示する。可能な入力デバイス１１２は、有線及び無線キーボード、マウス、及び遠隔制御ユニットを含む。遠隔制御デバイス１１２は更に、ＢＬＵＥＴＯＯＴＨまたは他の無線リンクによって、またはモバイルデバイス１１２上のポートへのケーブル接続を介して、サーバ１１４と通信する。若干の実施の形態においては、サーバ１１４へは、無線ネットワーク１１８、インターネット、または別の通信ネットワークを通して、遠隔制御デバイス１１２（または、他のデバイス）から遠隔的にアクセスすることができる。
【００１８】
「本発明の例示面の説明」
本発明の一面によれば、サーバ１１４のようなデバイス上に格納されたメディアファイルを処理するためのシステムが提供される。メディアファイルは、画像、ビデオファイル、オーディオファイル、テキストファイル、またはメッセージを含むことができる。本発明の種々の面を通して使用されるメディアファイルの一例は、サムネイル画像として表されたデジタルピクチャを含む。当業者ならば、本発明の種々の面におけるサムネイルの使用は、本発明に使用することができるメディアファイルの一形状例に過ぎないことが理解されよう。本発明の種々の例におけるサムネイル画像の使用は、このようなサムネイル画像に限定することを意味するものではなく、本発明の詳細を説明するために使用されているのである。更に、以下の説明は、１つ以上の遠隔制御デバイス１１２から受信したメディアファイルに関しているが、本発明はデータ型またはソースによって限定されるものではない。
【００１９】
図４に示すように、遠隔制御デバイス１１２は、メディアファイルを伝送してパーソナルサーバ４０２のようなサーバ内に格納させることができる。これらのメディアファイルは遠隔制御デバイス１１２によって作成されたものであるか、または遠隔制御デバイス１１２がネットワークを通して受信したものである。例えば、遠隔制御デバイス１１２は、ユーザが興味を抱いたデジタル画像または写真を撮影することができるデジタルカメラ（図示してない）を含むことができる。遠隔制御デバイス１１２を用いて作成された画像はパーソナルサーバ４０２へ伝送され、パーソナルサーバ４０２のメモリ１５４または１５６内に格納される。
【００２０】
後刻、ユーザは、パーソナルサーバ４０２のメモリ１５４または１５６内に格納されたメディアファイルにアクセスすることができる。本発明の一面においては、ユーザは実行コマンドを、遠隔制御デバイス１１２及びディスプレイデバイス４０４上で実質的に同時に見ることができる。本発明の別の面においては、ユーザはメディアファイルを、遠隔制御デバイス１１２及びディスプレイデバイス４０４上で実質的に同時に見ることができる。本発明の更に別の面においては、ユーザはメディアファイル及び実行コマンドを、遠隔制御デバイス１１２及びディスプレイデバイス４０４上で実質的に同時に見ることができる。
【００２１】
図４には、メディアファイルがサムネイル画像４０６として示されている。サムネイル画像４０６は、１度の機会に作成されたか、またはそうではないかも知れない。例えば、ユーザはサムネイル画像４０６のコレクション、即ち複数のサムネイル画像４０６を、何度も遠隔制御デバイス１１２からパーソナルサーバ４０２へ転送することができる。サムネイル画像４０６は、ＪＰＥＧフォーマットまたは他のフォーマットであることができる。更に、当業者には明白なように、メディアファイルはサムネイル４０６以外のフォーマットで表すことができる。遠隔制御デバイス１１２からパーソナルサーバ４０２へ転送されたサムネイル４０６は、遠隔制御デバイス１１２から転送された順番に基づいて着順で表示することができる。更に、転送された最初のサムネイル画像を例えば“画像（１）”のように命名し、一方転送された第２のサムネイルまたはメディアファイルを“画像（２）”と命名するように、連番で命名することができる。
【００２２】
図５に示すように、遠隔制御デバイス１１２を使用するユーザは、興味を持った特定サムネイルを強調表示（ハイライト）させることができる。図５において、“画像（１）”というタイトルを付けられたサムネイル５０２は、遠隔制御デバイス１１２を使用するユーザが選択したものである。いろいろなサムネイルの選択は、遠隔制御デバイス１１２上の矢印または類似の型のキー、またはジョイスティックを使用して選択ボックスを移動させることによって達成することができる。図５には７枚のサムネイルまたはメディアファイルが示されているが、当業者ならば、より多くの画像またはメディアファイルをディスプレイデバイス４０４（図４）上に表示できることが理解されよう。それに応じて、ページダウン“矢印”５０４及びページ“バック”ボタン５０６をサムネイルディスプレイ５０８上に表示することができるので、ユーザは格納されている全てのサムネイルまたはメディアファイルを見るために別の画面へ移動することができる。
【００２３】
ユーザが興味を持ったサムネイルを強調表示させた後に、本発明の一面においては、ユーザは強調表示させたサムネイルをディスプレイデバイス４０４上で拡大して見ることができる。ユーザは、例えば、彼／彼女がメモリ１５４または１５６内に累積することを許した種々の画像を調べ、どの画像を保管すべきか、及びどの画像を破棄すべきかを決定することができる。ユーザは比較的低解像力のサムネイルを精査し、関心のある画像を識別し、そのサムネイルを強調表示させることによってその画像を拡大させ、そして遠隔制御デバイス１１２上の“エンター”キーまたは他の適切なキーを押下する。
【００２４】
図５のサムネイル画像５０２のような特定のサムネイル画像の選択に加えて、ユーザはサムネイルディスプレイ画面５０８上の“オプション”ボタン５１０を選択することができる。サムネイルディスプレイ画面５０８上の“オプション”または“メニュー”ボタン５１０を選択すると、選択されたサムネイル画像または全画像について遂行させることを選択できるコマンドメニュー５１２がプルアップされる。例えば、コマンドメニュー５１２上に“開く”コマンド５１４を表示させることができる。ユーザが“開く”コマンド５１４をアクチベートさせると、選択されたサムネイル画像５０２が拡大されてそのサムネイル画像５０２の内容を見ることができる。別の例として、遠隔制御デバイス１１２を使用するユーザは、コマンドメニュー５１２上の“ゴートゥー（Go to）”コマンド５１６をアクチベートさせることができる。“ゴートゥー”コマンド５１６を選択すると、その“ゴートゥー”コマンド５１６に更に関連付けられたサブコマンドメニュー５１７が現れる。例えば、サブコマンドメニュー５１７は、 “日付ビュー”５１８、または“主ビュー”５２０の何れを見ることを希望するのかをユーザに選択させる。例えば、“日付ビュー”５１８コマンドはサムネイル画像を着順に表示するサムネイルディスプレイ画面を、また“主ビュー”５２０コマンドはサムネイル画像名のアルファベット順にサムネイルを表示するサムネイルディスプレイ画面をユーザに提示する。
【００２５】
図４に戻って、本発明の一面によれば、パーソナルサーバ４０２は、コマンドメニュー５１２と同一の、類似の、または少なくとも部分的に関係付けられたコマンドメニュー４１０を遠隔制御デバイス１１２へ伝送することができる。ユーザは伝送されたコマンドメニュー４１０によって、詳細に見る必要なく、またはディスプレイデバイス４０４及び遠隔制御デバイス１１２のディスプレイ１３６（またはユーザインタフェース１３０）の両方に集中する必要なく、選択されたメディアファイルに関するコマンドを発行することができる。伝送されるコマンドメニュー４１０は、特定のメディアファイルに対して実行可能な全てのコマンドを含まないことができる。
【００２６】
本発明の一面においては、コマンドメニュー４１０は、選択されたメディアファイルについて最も頻繁に使用されるコマンドだけを含むことができる。図６は、本発明の一面に従って使用することができる１つの可能なコマンドメニュー６１０を示している。図６において、コマンドメニュー６１０は、ディスプレイデバイス４０４上の強調表示されたオブジェクトに関して最も頻繁に使用されるコマンドを提示することができる。例えば、コマンドメニュー６１０は“画像（１）”と命名されたサムネイル画像５０２（図５）のような強調表示されたサムネイル画像に関連付けることができる。サムネイル画像５０２のような強調表示されたサムネイル画像の場合、コマンドメニュー６１０は“開く”コマンド６１２及び“回転”コマンド６１４のようなコマンドを表示することができる。遠隔制御デバイス１１２のディスプレイ１３６上に表示される各コマンドは、遠隔制御デバイス１１２上に見出されるボタンと対応または関連させることができる。例えば、“回転”コマンド６１４は、遠隔制御デバイス１１２上に見出される番号２のボタンに対応させることができる。換言すれば、コマンドメニュー６１０は、遠隔制御デバイス１１２のボタンへマッピングされたコマンドを表示することができる。遠隔制御デバイス１１２上の対応するボタンをアクチベートさせることによって、サムネイル画像５０２のようなディスプレイ画面４０４上で強調表示されたオブジェクトに対してコマンドを遂行させることができる。別の実施の形態においては、コマンドをタッチスクリーン上の領域に対応または関連付けするように、コマンドをタッチスクリーンディスプレイ上に表示させることができる。
【００２７】
本発明の一面においては、コマンドメニュー５１２は、コマンドメニュー４１０が遠隔制御デバイス５１２へ伝送されたことの指示または通知をユーザに与えるだけである。この指示は、アイコン、テキスト、または両者を含むことができる。
【００２８】
上述したように、最も頻繁に使用されるコマンドだけを遠隔制御デバイス１１２のディスプレイ１３６上に表示することができる。パーソナルサーバ１１４またはパーソナルサーバ１１４上で走るアプリケーションは、ディスプレイ画面４０４において強調表示されたオブジェクトに基づいて、遠隔制御デバイス１１２上に表示される内容、特色、またはユーザインタフェースの外観のようなユーザインタフェースを変更することができる。更に、パーソナルサーバ１１４上で走るアプリケーションは、１つのメニューまたはユーザインタフェースを共用することが１人のユーザにとって便利である時点をも認識する。これは、自動的であることも、または例えば内容またはファイル型によるのようにアプリケーションプログラムによって予め命令しておくこともでき、或いは、ユーザはメニューまたはユーザインタフェースを共用することをアプリケーションに依頼することができる。
【００２９】
本発明の一実施の形態においては、サーバ１１４は、遠隔制御デバイス及び遠隔制御デバイスの技術的能力を認識することができる。技術的能力は、限定するものではないが、ディスプレイのサイズ及び解像力、ディスプレイの型、キーボードのスタイル、ユーザインタフェース内で使用されるキーボタン、及びユーザインタフェースのスタイルを含むことができる。代替として、遠隔制御デバイスは、それ自体、メニューをどのように変更するかについての命令を伝送することができる。
【００３０】
図７に、本発明の別の面に従ってメディアファイルと対話するシステムを示す。図７においては、ユーザは、サムネイル画像７０１のようなメディアファイルのグループを、遠隔制御デバイス７１２からパーソナルサーバ７０６へ伝送済みである。サムネイル画像７０１は、ディスプレイデバイス７０４上に表示することができる。図７において、ユーザはあるサムネイル画像または多くの関連サムネイル画像を含むことができるフォルダの再命名を望むことができる。フォルダは、ユーザが同時に見ることを望むことができるメディアファイルを格納するために使用することができる。フォルダは、ユーザが彼／彼女のメディアファイルのコレクションを編成し、探索するのを援助するために、ユーザがメディアファイルのカテゴリを作成することを可能にする。
【００３１】
図７において、フォルダ７０８には“アルバム”という名前が与えられている。フォルダ７０８の名前を変更することを望むユーザは、先ず、フォルダ７０８を強調表示させるために、遠隔制御デバイス７１２上のキーボタンまたはジョイスティックを使用してカーソルをフォルダ７０８上に移動させることができる。ユーザは、遠隔制御デバイス７１２上のメニューボタンを押下するか、または遠隔制御デバイス７１２上のエンターキーを押下することによってフォルダ７０８を選択することができる。当業者ならば、選択されたオブジェクトのためにユーザがメニューをアクチベートさせるには、数多くの方法が存在することが理解されよう。
【００３２】
メニューボタンを押下すると、フォルダ７０８に関連するコマンドを伴うメニューをディスプレイデバイス７０４及び遠隔制御デバイス７１２上に実質的に同時に表示することができる。遠隔制御デバイス７１２のためのコマンドを伴うメニューは、遠隔制御デバイス７１２のより小さいディスプレイ画面７３６上に適切に表示されるように調整することができる。ディスプレイ画面７３６上に表示されたメニューコマンドは、遠隔制御デバイス７１２上に見出されるキーボードボタンに対応させることができる。本発明の別の面においては、遠隔制御デバイス７１２はタッチセンススクリーンを含むことができ、そのタッチスクリーンの特定領域を位置決めデバイスでタッチすることによって特定のコマンドをアクチベートさせることができる。
【００３３】
例えば、コマンドメニューは、図６に示すコマンドメニュー６１０に類似するキーボードボタン５に対応している“名前”コマンドを含むことができる。ユーザが“名前”コマンドをアクチベートさせると、対話ボックス７２２をディスプレイデバイス７０４及び遠隔制御デバイス７１２のディスプレイ７３６上に実質的に同時に開かせることができる。フォルダ７０８の名前を変更することを望むユーザは、遠隔制御デバイス７１２上のボタンを使用してフォルダ７０８のための新しい名前の入力を開始することができる。フォルダ７０８のための新しい名前のタイピングは、Ｔ９のような予測テキスト入力システムを使用することによって更に高めることができる。ディスプレイ７３６が名前変更を達成するために必要な全ての情報を含んでいるので、フォルダ７０８のための新しい名前を入力するユーザは、フォルダ７０８のための新しい名前を入力しながらディスプレイ画面７０４を見る必要はない。例えば、遠隔制御デバイス７１２上の対話ボックス７２２は、新しいフォルダ名を入力するための“新ボックス名”と名付けられたフィールドを含むことができる。図７に示すように、ユーザが新しい名前をテキストボックスフィールド７２４内に入力すると、フォルダ７０８の名前を“アルバム”から“Boxw”に変更することができる。名前変更コマンドと同様に、ユーザは、例えば削除、移動、送信、隠し、探索、プロパティ、印刷、コピー、及び／またはマーク／アンマークのような他の種々のコマンドを遂行することができる。当業者ならば、他の数多くのコマンドをコマンドメニュー内にリストできることが理解されよう。更に、コマンドメニュー内に表示されるコマンドは、ディスプレイ画面７０４内で強調表示されたオブジェクトに基づいて変更することができる。
【００３４】
図８に、本発明の別の面を示す。図８において、パーソナルサーバ８１４は、テレビジョン信号のような信号をテレビジョン受像機８０４へ伝送することができる。テレビジョン受像機は、インターネットプロトコルデータ放送（ＩＰＤＣ）受信機であることができる。別の実施の形態においては、パーソナルサーバ８１４は、テレビジョン信号を先ずセットトップボックス８０５へ伝送することができる。テレビジョン放送は、マルチメディアホームプラットフォーム（ＤＶＢ−ＭＨＰ）標準または他の何れかのＤＶＢ、またはデジタルテレビジョン放送標準に準拠する会話型サービスを含むことができる。更に、テレテキスト、テキスト―ＴＶ、またはスーパーテレテキストサービスのような垂直消去期間伝送を利用することができる。
【００３５】
ＭＨＰ（マルチメディアホームプラットフォーム）アプリケーション、テキスト―ＴＶ、またはスーパーテレテキスト伝送においては、いろいろな対象に関する付加的な情報を受信するために４つのカラーボタンシステムを利用することができる。図８は、テキスト―ＴＶに関連して本発明の幾つかの面を示している。図８において、「メニュー」ボタン８４０、「ニュース」ボタン８４１、「スポーツ」ボタン８４２、及び「天気」ボタン８４３のようなカラーボタンが、ディスプレイデバイス８０４のコマンドメニュー８１０内に示されている。
【００３６】
類似のコマンドメニュー８５９を、遠隔制御デバイス８１２のディスプレイ８３６上に表示させることもできる。コマンドメニュー８５９は、ユーザが、ディスプレイデバイス８０４及び遠隔制御デバイス８１２のディスプレイ８３６を詳細に見ることなく、選択されたメディアファイルまたはテキスト―ＴＶの内容に関するコマンドを発行することを可能にする。伝送されるコマンドメニュー８１０は、特定のテキスト―ＴＶアプリケーション上で遂行可能な全てのコマンドを含まないことができる。
【００３７】
本発明の一面においては、コマンドメニュー８５９は、「メニュー」ボタン８６０、「ニュース」ボタン８６１、「スポーツ」ボタン８６２、及び「天気」ボタン８６４のような最も頻繁に使用されるコマンドだけを含むことができる。更に、遠隔制御デバイス８１２は、種々のプログラムのためにコマンドメニュー８６０上にショートカットコマンドを含むこともできる。ショートカットは、表示されるプログラムに関する付加的な情報を提供することができる。例えば、テレビジョン受像機８０４は、リンク１０６、１０７、１６５、１３８、及び２１２のようなプログラム情報への種々のリンクを含むことができる。
【００３８】
遠隔制御デバイス８１２のディスプレイ８３６上に表示される各コマンドは、遠隔制御デバイス８１２上に見出されるボタンに対応させることができる。例えば、「メニュー」コマンド８６０は、遠隔制御デバイス８１２上に見出される番号“１”ボタン８６６に対応させることができる。換言すれば、コマンドメニュー８６０は、遠隔制御デバイス８１２のボタンへマッピングされたコマンドを表示することができる。遠隔制御デバイス８１２上の対応ボタンをアクチベートさせると、世界のニュースまたはスポーツに関する付加的情報を提供するようなコマンドを遂行させることができる。本発明の別の面においては、遠隔制御デバイス８１２はタッチセンススクリーンを含むことができ、そのタッチスクリーンの特定領域を位置決めデバイスでタッチすることによって特定のコマンドをアクチベートさせることができる。
【００３９】
本発明の別の面においては、放送内容だけを遠隔制御デバイスのディスプレイ上に表示することができる。例えば、図９において、パーソナルサーバ８１４は、テレビジョン信号のような信号を遠隔制御デバイス８１２へ伝送することができる。遠隔制御デバイス８１２は、インターネットプロトコルデータ放送（ＩＰＤＣ）受信機であることができる。上述したように、マルチメディアホームプラットフォーム（ＭＨＰ）アプリケーション、テキスト―ＴＶ、またはスーパーテレテキスト伝送においては、いろいろな対象に関する付加的な情報を受信するために４つのカラーボタンシステムを利用することができる。図９は、テキスト―ＴＶに関連して本発明の幾つかの面を示している。図９には、「メニュー」ボタン８４０、「ニュース」ボタン８４１、「スポーツ」ボタン８４２、及び「天気」ボタン８４３のようなカラーボタンが、遠隔制御デバイス８１２のディスプレイ９０１内に示されている。類似のコマンドメニュー９００を、遠隔制御デバイス８１２のディスプレイ９０１上に表示させることもできる。図９に示すように、コマンドメニュー９００は、種々のボタンに対応させることができる。例えば、第１のボタン“１”（９０２）を「メニュー」ボタン８４０に対応させることができる。同様に、第２のボタン“２”（９０４）を「ニュース」ボタン８４１に対応付けることができる。更に、第３のボタン“３”（９０６）及び第４のボタン“４”（９０８）を、それぞれ「スポーツ」ボタン８４２及び「天気」ボタン８４３に対応付けることもできる。
【００４０】
以上の説明から、本発明の実施の形態は、ユーザが、表示されたメディアファイルを便利な手法でブラウズ、選択、または編集できるようにすることが理解されたであろう。更に、本発明は、静止画像のためのデータの編成に限定されるものではない。以上の説明では例として静止画像を使用しているが、本発明は、ビデオクリップにも等しく適用することができる。代替として（及び、オーディオクリップの場合には）、ユーザには、“サムネイル”インタフェースとしてアイコンまたはファイル名の表示を提示することができる。更に、ファイルのフォルダ、アルバム、またはコレクションを、本発明において説明したメディアファイルと同じ手法で処理することができる。
【００４１】
説明に使用した図１は、データまたはメディアファイルをポータブルパーソナルサーバ１１４内に格納する実施の形態を示している。別の実施の形態においては、データファイルは、好ましくはサービスプロバイダによるサービスであるネットワークサーバ内に格納することができる。これによって、ユーザはサーバにアクセスし、上述した手法と同一の手法で彼等のモバイル通信デバイス（または、ＰＣコンピュータのような有線回線通信デバイス）を使用することによってデータファイルを表示させ、編集し、または処理することができるようになる。ネットワークサーバは、データファイルをユーザのモバイル通信デバイスから（または、ＰＣコンピュータから）、または写真サービスプロバイダ、または音楽またはビデオサービスプロバイダのような他の何等かのソースから受信することができる。ユーザは、彼等のモバイル通信デバイスを使用し、無線通信ネットワーク、ＷＬＡＮ、ＢＬＵＥＴＯＯＴＨ、または類似の無線プロトコルのような無線ネットワークを通してサーバ及びサービスにアクセスすることができる。データファイルの表示、処理、及び編集のためのコマンドは、ネットワークを通して伝送される。また選択されたデータファイルは、もしユーザディスプレイがユーザのモバイル通信デバイスに取付けられていれば、プレゼンテーションのためにネットワークを通して検索される。代替として、ＴＶデバイス、セットトップボックス、パーソナルコンピュータのように、ユーザディスプレイがユーザのモバイル通信デバイスから分離されている場合には、選択されたデータファイルは第２の通信ネットワーク（無線または有線）を通してディスプレイデバイスへ導くことができる。
【００４２】
以上に、本発明の種々の面を実現するシステム及び方法を例として説明したが、勿論、本発明はこれらの実施の形態に限定されるものではないことを理解されたい。当業者ならば、特に上述した教示に鑑みて、多くの変更を考案することが可能であろう。例えば、上述した実施の形態の各要素を単独で使用したり、または他の実施の形態の要素と組合せて使用することが可能である。また、本発明は特許請求の範囲によって限定されているが、これらの請求項は本発明が上述した諸要素及び諸ステップを組合せて、または部分的に組合せて含むことを意図していることの例である。更に、本発明の真の思想及び範囲から逸脱することなく、多くの変更が可能であることをも理解されたい。
【図面の簡単な説明】
【００４３】
【図１】本発明のいろいろな面を実現することができる無線通信システムの例のブロックダイアグラムである。
【図２】本発明の一面による遠隔制御デバイスの例のブロックダイアグラムである。
【図３】本発明の一面によるサーバのブロックダイアグラムである。
【図４】本発明の一面に従ってメディアファイルを処理するための構成を示す図である。
【図５】本発明の一面によるメディアアプリケーションの種々の画面を示す図である。
【図６】本発明の一面による遠隔制御デバイスを示す図、及び該遠隔制御デバイス上に表示された画像の拡大図である。
【図７】本発明の一面に従ってメディアファイルと対話し、処理するためのシステムを示す図、及び遠隔制御デバイス上に及びディスプレイデバイス上に表示された第２の画像の拡大図である。
【図８】本発明の一面に従ってメディアファイルと対話するためのシステムを示す図である。
【図９】本発明の別の面に従ってメディアファイルと対話するためのシステムを示す図である。
【図１】
2008507165.tif 000003
【図２】
2008507165.tif 000004
【図３】
2008507165.tif 000005
【図４】
2008507165.tif 000006
【図５】
2008507165.tif 000007
【図６】
2008507165.tif 000008
【図７】
2008507165.tif 000009
【図８】
2008507165.tif 000010
【図９】
2008507165.tif 000011
【国際調査報告】
2008507165.tif 000012
2008507165.tif 000013
2008507165.tif 000014